(57)【特許請求の範囲】
【請求項１】
中空容器の口頸部に螺合して容器開口部を密閉する筒状をした開閉が容易なネジ蓋体であって、容器本体の口頸部に螺合せしめて密着する筒状に形成してなる蓋体内側層部材と、前記蓋体内側層部材に嵌着する嵌合筒部にリブ状の滑り止め部と鍔部を突設した蓋体中間層部材と、前記蓋体中間層部材に嵌着する筒状部の側壁部にスリット部を設けた外側層部材とを嵌着せしめて三層構造の蓋体に形成して、前記スリット部から滑り止め部を突出せしめて開閉可能に保持してなることを特徴とする滑り止め部を設けたネジ蓋体。
【請求項２】
前記蓋体内側層部材は、容器本体の口頸部に螺合する筒状部と開口部を塞ぐ頂壁部と容器の肩部に密着する鍔部とからなることを特徴とする請求項１に記載する滑り止め部を設けたネジ蓋体。
【請求項３】
前記蓋体内側層部材は、容器本体の口頸部に螺合する筒状部と開口部を塞ぐ頂壁部と容器の肩部に密着する鍔部とからなり、前記筒状部の内周面には口頸部のネジ山に螺合するネジ部が形成され、また、前記鍔部の外周面には中間層部材を挟持して外側層部材と結合するネジ山が形成されてなることを特徴とする請求項１に記載する滑り止め部を設けたネジ蓋体。
【請求項４】
前記蓋体中間層部材は、内側層部材の筒状部に嵌合する嵌合筒部と前記内外層の鍔部間で挟持される鍔状片と頂壁部とからなると共に、前記嵌合筒部の表面に縦長のリブ状に突出した滑り止め部を形成してなることを特徴とする請求項１に記載する滑り止め部を設けたネジ蓋体。
【請求項５】
前記外側層部材は、中間層部材の筒状部に嵌合して滑り止め部を突出せしめて保持する縦長のスリットを形成した筒状部と、内側層部材の鍔部に螺合するネジ部が設けられた鍔部と頂壁部とからなることを特徴とする請求項１に記載する滑り止め部を設けたネジ蓋体。
【請求項６】
中空容器の口頸部に螺合して容器開口部を密閉する筒状をした開閉が容易なネジ蓋体であって、容器本体の口頸部に螺合せしめて密着する筒状に形成してなる蓋体内側層部材と、前記蓋体内側層部材に嵌着する嵌合筒部の外側面にはリブ状の滑り止め部を突設して、開口端部に鍔部を設けると共に頂壁面に圧縮可能な膨出部を設けてなる蓋体中間層部材と、前記中間層部材に嵌着する筒状部の側壁部にスリット部を設けた蓋体外側層部材とを嵌着せしめて三層構造の蓋体に形成して、前記蓋体外側層部材の開口部から蓋体中間層部材の膨出部を突出せしめると共に、前記スリット部から滑り止め部を突出せしめて開閉可能に保持して、更に、前記内側層部材の筒状部に吸い上げ管を嵌着して、容器内の内容物を吸い上げ可能に形成してなることを特徴とする滑り止め部を設けたスポイト付きネジ蓋体。
【請求項７】
前記蓋体内側層部材は、中空容器の口頸部に螺合する筒状部と、開口部に密着する頂壁部と、容器の肩部に密着する鍔部とから形成して、前記筒状部の内周面には吸い上げ管を固定する嵌合支持部と容器口頸部のネジ山に螺合するネジ部が形成されると共に、鍔部の外周面には外側部分と螺合するネジ山が形成され、また、前記頂壁部には中央部に小孔が穿たれていることを特徴とする請求項６に記載する滑り止め部を設けたスポイト付きネジ蓋体。
【請求項８】
前記中間層部材は、前記内側層部材の筒状部に嵌合する嵌合筒部と押圧変形が可能な膨出部を形成した頂壁部と内外層の鍔部間に挟持される鍔状片とから形成して、前記嵌合筒部の側壁面にはリブ状に突起した縦長の滑り止め部が形成されていることを特徴とする請求項６に記載する滑り止め部を設けたスポイト付きネジ蓋体。
【請求項９】
前記外側層部材は、前記中間層部材の筒状部に嵌合して固定する固定筒状部と中間層部材の鍔状片を内側層部材の鍔部に圧着する鍔部とから形成して、前記固定筒状部の側壁部には前記中間層部材の滑り止め部が突出する縦長のスリットが形成されると共に、固定筒状部の頂壁には前記中間層部材の膨出した頂壁部が突出する開口部が形成され、また、鍔部の内周面には内側層部材の鍔部のネジ山に螺合するネジ部が形成されていることを特徴とする請求項６に記載する滑り止め部を設けたスポイト付きネジ蓋体。
【請求項１０】
前記蓋体の内側層部材及び外側層部材は、硬質の合成樹脂材により形成され、また、前記中間層部材は、軟質の合成樹脂材により形成されてなることを特徴とする請求項１又は請求項６に記載する滑り止め部を設けたスポイト付きネジ蓋体。
【発明の詳細な説明】
【０００１】
【発明の属する技術分野】
本願の発明は、中空容器の口頸部に着脱自在に螺合する蓋体に係わるもので、中でも、中空容器の口頸部をネジの螺合作用により密封した蓋体を、弱い力て捻じっても容易に開封することができるネジ蓋体に関するものである。
【０００２】
【従来の技術】
従来から用いられてきた中空容器の開口部の密閉手段としては、酒類や醤油等、あるいは、各種清涼飲料やジュース等を収容したガラス壜に於いては、コルク栓や王冠を用いて密封したものが一般的であったので、これらの密閉蓋を開けるには、それぞれ開封用の道具を用いて開けていた。
しかし、食生活が豊かになるにつれて、酒類のみならずジュース等の飲料が大量に消費されるようになるのに伴って、これらを収容した容器の密封にネジ蓋が用いられるようになってきた。
【０００３】
その理由としては、ネジ蓋を用いた密封容器は、特別な開封道具を用いることなしに、指先で蓋部を掴んで左方向または右方向のどちらか一方に回転させることにより、容器の開封または密閉を簡単に行うことができるという利便性があること、特に、大型の容器に収容した大量の内容物を使い切ることができない場合には、再び容器の口を容易に密閉することができるからである。
【０００４】
ところが、これら従来から用いられているネジ蓋は、薄い金属板をロール加工その他の手段によりネジ加工を行って成形したものであり、その大半は表面が滑らかな金属面のまま成形されたものであったから、開封に際して指先で蓋を捻じろうとすると、どうしても指が滑り易くて開封しにくい場合があった。
そして、このように素手で蓋を開封するのが困難な場合には、ゴムや布等の滑りの少ないもので蓋部の外周面を覆って、その上から蓋体を捻じる操作を行って開封する等のやや面倒な手段を採らなければならないことがあった。
【０００５】
そこで、上記のようにネジ蓋体が強く密閉されて開けにくい中空容器に於いても、ゴム等の補助手段を用いることなしに、素手でネジ蓋を捻じって容易に回転させて開封できるようにするために、指先と蓋体との間の摩擦力を高くしておいて手先が滑ることがないようにするための手段が色々と考案されている。
【０００６】
例えば、金属製のネジ蓋に於いては、従来同様にロール加工等の手段により金属板を加工する際に、図８に示したように、ネジ蓋５１の胴部５２外周面の上端部分や下端部分等の適当な場所に、縦方向の浅い溝状の凹凸部５２ａ，５２ｂを形成して滑り止めとなすと共に、下部の凹凸部の下に容易に破断可能なミシン目等の切断線５２ｃを形成したものが、実開昭４９−１２８６６３号や特開平８−２３０９１１号公報等に提案されている。
あるいは、図９に示したように、ネジ蓋６１の胴部６２外周面にゴム等を積層した軟質層６３を設けておくことにより、ネジ蓋をゴム等の摩擦力の大きなもので包まなくても、ネジ蓋６１を容易に回すことができるようにしたものが、実開昭４８−１１１５４３号や実公昭５１−２１０１号公報等に記載されている。
【０００７】
しかし、このようにネジ蓋の外側面に多数のぎざぎざの凹凸部やゴム層等を形成して、滑りにくくしたネジ蓋体で密封した容器は、ある程度は便利ではあるが、金属蓋に単に凹凸面を設けたものは指先に密着しにくくて、また、蓋体の表面に単にゴム層を設けたものは指先に密着はするが、指の引っ掛かりが弱くて力を入れにくい。
従って、容器を初めて開封しようとする場合や、ネジ蓋がきつく締められていたりする場合に、ネジ蓋を開封しようとすると、どうしても蓋を開封するには大きな捻じり力を必要とすることがあり、そのような場合には握力の弱い子供や老人、特に、病人や手が不自由な人達にとっては、蓋を開閉するのが困難で苦になることがり、改良の余地があった。
【０００８】
更に、近年の社会状況の変化や生活環境面の変化と共に、食生活の面でもゆとりのある変化が見られるようになつて、酒類等の嗜好品と共に清涼飲料やスポーツ飲料等が大量に消費されるようになると同時に、健康医療や美容に関係した飲食品の消費量が増えるにつれて、それらを収容する容器もガラス類に代わって合成樹脂製の中空容器が用いられるようになった。
それには、中空容器を成形可能な新しい合成樹脂材料の出現とそれを用いて容器を成形する成形技術の進歩とがあり、また、実社会に於ける物流の面から重量があって、破損し易いガラス等の容器よりも、軽量で破損しにくくて、成形が容易で且つ安全であるポリエチレンテレフタレート（ＰＥＴ）樹脂製等の中空容器が多用されるようになり、そのほとんどのものがネジ蓋を用いて密封された容器である。
【０００９】
ところが、このように各種の清涼飲料やジュースその他の飲食品が大量に消費されるようになったのと時を合わせるように、最近になって、これらの飲食品が収容された容器を、一見しただけでは分からないように巧妙に開封してから、その中にわざと人体に有害な物質を混入したものを自動販売機等に放置しておいて、有害物質が混入している容器とは知らない他人にその内容物を飲ませるような悪戯事件が発生するようなことが稀に見られるようになった。
【００１０】
そこで、このような社会的に恐怖を与えるような悪戯が発生するのを防止するために、容器が一度開封された後には、開封されたことがすぐに判別できるようにした不正開封の防止策が色々と採られるようになり、その一つの手段として、封印手段をも兼ね備えた捻じ切り式の蓋体により密封する方法が採られるようになった。
その代表的なものとしては、図１０に示したように、蓋体７１は、容器本体の開口部を塞ぐ頂壁部７２ａと口頸部の螺旋ねじに螺合する胴部７２ｂと口頸部に締めつける固定部７２ｃとから形成されおり、そして、前記胴部７２ｂと固定部７２とはミシン目等の脆弱部７２ｄにより容易に切断可能に連結すると共に、胴部７２ｂの表面には縦方向に浅い筋状に形成した滑り止め部７２ｃを設けるようにして、射出成形により一体に形成されたものである。
【００１１】
このように成形した捻じ切り蓋を容器の口頸部に螺着して密封された容器を開封するには、蓋体を捻じって脆弱部７２ｄを切断しなければならないが、一度捻じ切られて破断したミシン目等の脆弱部は、再び接合することは不可能であるから、上記のような捻じ切り式の蓋体を用いた容器が、開封されたか、どうかを見分けることは簡単にできる。
しかし、このような筋状の滑り止め７２ｃを設けた捻じ切り式のネジ蓋７１を用いて密封された中空容器であっても、薬品や食品等を収容した容器は、従来のものよりは幾分きつく密封されている傾向があり、このような密封容器の蓋体をネジ切って初めて開封しようとすると、やや大きな捻じり力が必要となるので、尋常な人でも手が水や汗で濡れていたり、手に洗剤や化粧品その他の油性物が付いていたり、あるいは、手袋をはめていたりすると、筋状の滑り止めでは密着性が不十分で、手が滑って蓋を回して開封するのが困難な場合があった。
【００１２】
【発明が解決しようとする課題】
本願の発明は、上記したような従来の蓋体の問題点や難点を解消して、ガラス容器や合成樹脂容器等の種類を問わず、各種の中空容器の開口部を密封するのに適用可能なネジ蓋体を形成すると共に、該蓋体により密封された容器を開封するには、特別な道具を使う必要がなくて、握力の弱い子供や老人、手が不自由な人であっても、手先との密着性が良くて、弱い力で容易に蓋を捻じって開閉することができる構造をした蓋体を提供することを目的とする。
【００１３】
【課題を解決するための手段】
本願の発明は、壜状体その他の中空容器の口頸部に形成されたネジ山に螺合せしめて、該中空容器の開口部を密封するネジ蓋に於いて、ネジ蓋が弱い力であっても容易に捻じって開閉することができるように、該ネジ蓋の外側面にエラストマー樹脂等の軟質材からなる滑り止め部を設けられたネジ蓋を形成するために、前記ネジ蓋を容器の口頸部のネジに螺合するネジ部を形成した硬質材からなる筒状の内層蓋部材と、該内層蓋部材の外表面を覆うように被せた密着性が良い軟質材からなる滑り止め部を有する中間層部材と、該中間層部材を覆うように被せると共に前記滑り止め部が変形しないように突出せしめた硬質材からなる外層蓋部材とからなる三層構造で蓋体を構成することにより、滑り止めを有するねじ蓋を形成する。
【００１４】
【発明の実施の態様】
ブロー成形により形成した中空容器の口頸部の外ねじ部に螺合する内ねじを設けた筒状の蓋体内層部を、硬質の合成樹脂の射出成形により成形して、前記内層部に嵌合可能な蓋体中間層部の表面に滑り止め部となる縦方向の筋状を設けたものを、エラストマー樹脂等の軟質の合成樹脂を射出成形して形成して、前記中間層蓋部に嵌合されて、前記滑り止め部が突出するスリットを設けた蓋体外層部を、硬質の合成樹脂の射出成形により成形して、本願発明の蓋体を構成するための各部材をそれぞれ成形する。
【００１５】
次に、前記のように形成した筒状の蓋体内層部の上に、エラストマー樹脂からなる前記蓋体中間層部を嵌合せしめて二層構造の蓋体に形成して、更に、前記二層構造にした蓋体中間層部の上に、前記滑り止め部がスリットから突出するように前記蓋体外層部を嵌合せしめると共に、前記蓋体内層部の下端部の外周面に形成したネジ部に前記蓋体外層部の下端部の外周内面に形成したネジ部を螺合して一体化せしめて三層構造をした蓋体に構成してから、該蓋体を液体等の内容物を収容した中空容器の口頸部のネジ部に螺合して、滑り止め付きのネジ蓋体を有する密封容器となす。
このようにして、本願発明のネジ蓋により密封された中空容器は、蓋体の外周面にエラストマー樹脂からなる滑り止めが設けられているので、ネジ蓋を手先で容易に捻じ回すことができて、簡単に開封することができる。
【００１６】
【発明の実施の形態】
以下に、本願の発明について、最適な一つの実施例に基づいて、図面を参照しつつ詳細に説明する。
実施例１．
本願の発明は、図１に示すように、中空容器２の開口部を密封する蓋体の外周面に滑り止め部４ｅを設けたネジ蓋１に関するものであって、本願発明の蓋体１は、図に示したように、容器２の口頸部２ａに螺合密着するように筒状をした硬質材からなる内側層部分５と、該内側層に嵌合する滑り止め部４ｅを有した軟質材からなる中間層部分４と、該滑り止め部４ｅを保持するように中間層部分４に嵌合する硬質材からなる外側層３との三層構造で構成されるものである。
【００１７】
前記した蓋体の内側層、中間層及び外側層を構成する各層の部材は、それぞれの作用特性に適合した合成樹脂材料を選択したものを射出成形することにより、それぞれの所定形状に成形される。
前記内側層部分５は、図３に示すように、中空容器２の口頸部２ｂに嵌合する筒状部５ｂと開口部２ａを塞ぐ頂壁部５ａと容器の肩部２ｃに密着する鍔部５ｃとからなり、前記筒状部５ｂの内周面には口頸部２ｂのネジ山２ｄに螺合するネジ部が形成されていて、また、前記鍔部５ｃの外周面には中間層部分４を挟持して外側層部分３と結合するネジ山５ｄが形成されている。
【００１８】
そして、前記中間層部分４は、内側層部分の筒状部５ｂに嵌合する嵌合筒部４ｂと該嵌合筒の表面に縦長のリブ状に突起した滑り止め片４ｅと前記内外層の鍔部５ｃ，３ｃで挟持される鍔状片４ｃとからなり、また、前記外側層部分３は、中間層の筒状部４ｂに嵌合すると共に滑り止め片４ｅを保持するための縦長のスリット３ｅを形成した筒状部３ｂと中間層の鍔状片４ｃを挟着して内側層の鍔部５ｃに螺合するネジ部を設けた鍔部３ｃとから形成されている。
【００１９】
上記のように成形された蓋体の各構成部材３，４，５は、以下のようにして蓋体１として組み立てることができる。
硬質の合成樹脂材からなる蓋体内層部材５に、手に密着し易い軟質の合成樹脂材からなる前記中間層部材４を嵌合して密着させた二重構造に形成してから、該二重構造の部材上に、硬質の合成樹脂材からなる前記外層部材３を中間層の滑り止め片４ｅがスリット３ｅから突出するように嵌着せしめてから、該外層部材３を回動することにより内層部材の鍔部５ｃの外周面のネジ部５ｄに外層部材の鍔部３ｃの内周面のネジ部を螺着せしめて、図２に示すように、前記中間層部材４を内外層部材５，３間に圧着、固定するようにして組み立てることにより、滑り止め付きのネジ蓋体１に構成する。
【００２０】
上記のようにして構成された本願発明の滑り止め付きのネジ蓋体１が、内容物が充填された中空容器２の口頸部２ａに螺合されると、図１に示したように、容器の開口部が密封された密封容器Ａが形成される。
このように密封された容器Ａを開封するには、片手で容器本体２を持ってから、もう一方の手の指先で蓋体１を掴んで捻じると、指先にはエラストマー等の軟質樹脂からなる滑り止め片４ｅが密着すると共に、該滑り止め片は硬質樹脂からなる外層部材のスリット３ｅで保持されて変形することがないので、指先が滑ることもなく容易に蓋体１を回動させることができて、密封容器を簡単に開封することができる。
【００２１】
実施例２．
本願発明は、単なるねじ式の密閉蓋にだけでなくて、スポイトの注出機能を備えたネジ蓋を形成するのにも応用することが可能である。
スポイトの注出機能を備えたネジ蓋は、基本的には実施例１と同様に構成される蓋体であって、図５に示すように、容器本体２２の口頸部２２ａに密着する硬質材からなる内側層部分２５と、滑り止め部及び膨出部を形成する軟質材からなる中間層部分２４と、滑り止め部を保持する硬質材からなる外側層部分２３とからなる三層構造で構成される蓋体２１の本体に吸い上げ管２６を接続して、スポイトの注出機能を有する蓋体を形成する。
【００２２】
上記蓋体２１を構成する各部材は、図６に示すように、蓋体の前記内側層部分２５を、中空容器２２の口頸部２２ｂに螺合する筒状部２５ｂと開口部２２ａに密着する頂壁部２５ａと容器の肩部２２ｃに密着する鍔部２５ｃとから形成して、前記筒状部２５ｂの内周面には吸い上げ管２６を固定する嵌合支持部と容器口頸部２２ｂのネジ山２２ｄに螺合するネジ部が形成されると共に、鍔部２５ｃの外周面には中間層を間に挟んで外側層部分２３と螺合するネジ山２５ｄが形成されており、また、前記頂壁部２５ａには中央部に小孔２５ｆが穿たれている。
【００２３】
そして、前記中間層部分２４を、前記内側層２５の筒状部２５ｂに嵌合する嵌合筒部２４ｂとポンプ作用をするための押圧変形が可能な膨出形部２４ｆを形成した頂壁部２４ａと内外層の鍔部２３ｃ，２５ｃ間に挟持される鍔状片２４ｃとから形成して、前記嵌合筒２４ｂの側壁面にはリブ状に突起した縦長の滑り止め片２４ｅが形成されている。
【００２４】
更に、前記外側層部分２３を、前記中間層２４の筒状部２４ｂに嵌合して固定する固定筒状部２３ｂと中間層２４の鍔状片２４ｃを内側層の鍔部２５ｃに圧着する鍔部２３ｃとから形成して、前記固定筒状部２３ｂの側壁部には前記中間層の滑り止め片２４ｅが突出する縦長のスリット２３ｅが形成されると共に、固定筒状部の頂壁部２３ａには前記中間層２４の頂壁が膨出した部分２４ｆが突出する開口２３ｆが形成され、また、鍔部２３ｃの内周面には内側層の鍔部２５ｃのネジ山２５ｄに螺合するネジ部が形成されている。
【００２５】
上記のように成形された蓋体の各構成部材は、以下のようにして組み立てられて蓋体に形成される。
前記硬質の合成樹脂材から成形されてなる内層部材２５の筒状部２５ｂに吸い上げ管２６の上端部を嵌合、固定すると共に、その上から前記のように形成された軟質の合成樹脂材からなる中間層部材２４を嵌合して密着せしめて二重構造に形成する。
【００２６】
次に、前記二重構造部材の上に、更に前記硬質の合成樹脂材からなる外層部材２３を嵌合せしめる際に、中間層部材２４の側壁部の滑り止め片２４ｅを筒状部２３ｂのスリット部２３ｅから突出せしめると共に頂壁部の膨出部２４ｆを頂壁開口部２３ｆから突出せしめて嵌合して、該外層部材２３を捻じることにより内層部材２５の鍔部２５ｃの外周面のネジ部２５ｄに外層部材の鍔部２３ｃの内周面のネジ部を螺合せしめると、図７に示したように、前記中間層部材２４を外層部材２３と内層部材２５との間に圧着した状態に固定して三重構造からなる蓋体２１に組み立てられて、スポイトの注出機能を備えた滑り止め付きのネジ蓋体２１が構成される。
【００２７】
上記のようにして構成された本願発明のネジ蓋体２１が、各種の薬剤やインク等の内容物が充填された中空容器２２の口頸部２２ｂに螺合されると、図４に示したように密封された容器Ｂとなるが、このように密封された容器Ｂの蓋２１を開封して内溶液を注出するには、片手で容器本体２２を持ってから、もう一方の手の指先で蓋体２１を掴んで捻じると、エラストマー等の軟質樹脂からなる滑り止め部分２４ｅが指先に密着して、蓋体２１は滑ることもなく極めて容易に回転させることができるので、簡単に開封することができる。
【００２８】
このようにして開封された容器Ｂに於いては、蓋体２１の頂壁部に突出する膨出部２４ｆを指先で一度押圧してから離してやると、ポンプ作用により内容液は吸い上げ管２６の先端開口からパイプ２６ｂを経て小孔２６ｆから蓋体２１の空間部内に吸い上げられる。
そこで、蓋体２１の筒状胴部を掴んで容器の開口から引き抜いてから、再び膨出部２４ｆを押圧してやると、内溶液は蓋体２１の空間部から排出されるので、必要とする内溶液を容器Ｂから注出することができる。
【００２９】
【発明の効果】
上記したように、本願発明は、中空容器の口頸部のネジ部に螺合する硬質材からなる筒状の内層蓋部材と、該内層蓋部材に被せた密着性が良い軟質材からなる滑り止め部を有する中間層部材と、該中間層部材に被せて前記滑り止め部が変形しないように突出せしめて保持する硬質材からなる外層蓋部材との三層構造にしてネジ蓋体を構成したので、このような蓋体で密封された中空容器は、開封するのに特別な道具を使うことなしに、握力の弱い子供や老人、手が不自由な人であっても、また、手が濡れていたり、手袋をはめるいたりしても、手先との密着性が良いので、弱い力で容易に蓋を捻じって開閉することができる
【図面の簡単な説明】
【図１】本願発明の第一実施例の蓋体を用いた中空容器を示す上面図（ａ）と側面の部分断面図（ｂ）である。
【図２】本願発明の第一実施例に於ける開蓋時の斜視図である。
【図３】本願発明の第一実施例の蓋体を示す分解図である。
【図４】本願発明の第二実施例の蓋体を用いた中空容器を示す側面の部分断面図（ｂ）である。
【図５】本願発明の第二実施例の蓋体を示す側面部分断面図（ｂ）である。
【図６】本願発明の第二実施例の蓋体を示す分解図である。
【図７】本願発明の第二実施例の蓋体を示す斜視図である。
【図８】凹凸状の滑り止めを有する捻じ切り式の蓋体を示す部分断面図である。
【図９】弾性摩擦体を設けた蓋体を示す部分断面図である。
【図１０】従来の滑り止めを有する合成樹脂性蓋体を用いた容器を示す。
【符号の説明】
１．  ネジ蓋体
２．  中空容器
２ａ．
２ｂ．
２ｃ．
２ｄ．
３．  外側層
３ｂ．筒状部
３ｃ．鍔部
３ｅ．スリット
４．  中間層
４ｂ．筒状部
４ｃ．鍔状片
４ｅ．滑り止め片
５．  内側層
５ｂ．筒状部
５ｃ．鍔部
５ｄ．ネジ部
２１．  蓋体
２２．  容器本体
２２ａ．口頸部
２２ｃ．
２３．  外側層
２４．  中間層
２５．  内側層
２５ａ．頂壁部
２５ｂ．筒状部
２６．  吸い上げ管
【図１】
0003959539.tif 000002
【図２】
0003959539.tif 000003
【図３】
0003959539.tif 000004
【図４】
0003959539.tif 000005
【図５】
0003959539.tif 000006
【図６】
0003959539.tif 000007
【図７】
0003959539.tif 000008
【図８】
0003959539.tif 000009
【図９】
0003959539.tif 000010
【図１０】
0003959539.tif 000011